【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
ディスプレイシステム（２０６）と、
入力システム（２１０）と、
一群の操縦（１１０）が評価される任意の数の乗組員（１０６）による航空機（１０８）の操縦の間に、前記航空機（１０８）の前記任意の数の乗組員（１０６）によって実行された前記一群の操縦（１１０）の技量を評価するための情報（１１４）を、前記ディスプレイシステム（２０６）に表示するとともに、前記任意の数の乗組員（１０６）による前記一群の操縦（１１０）の技量を評価するユーザ入力（２０８）を、前記入力システム（２１０）を介して受け付けるように設定された飛行評価器（２００）を備える装置。
【請求項２】
前記飛行評価器（２００）は、前記ユーザ入力（２０８）を記憶するとともに、前記ユーザ入力（２０８）を使用して、前記任意の数の乗組員（１０６）によって実行された前記一群の操縦（１１０）の技量についての報告書（２２０）を生成するように更に設定されている、請求項１に記載の装置。
【請求項３】
前記一群の操縦（１１０）は、イベントに応じて実行される任務のためのものである、請求項１に記載の装置。
【請求項４】
前記飛行評価器（２００）は、前記ユーザ入力（２０８）に基づく報告書（２２０）を、通信リンク（２１１）を介してエンティティー（２２４）に送るように更に設定されている、請求項１に記載の装置。
【請求項５】
前記飛行評価器（２００）は、前記任意の数の乗組員（１０６）によって実行された前記一群の操縦（１１０）の技量を評価するための前記情報（１１４）に対するアップデートを、通信リンク（２１１）を介してコンピュータシステム（２０２）から、受信するように更に設定されている、請求項１に記載の装置。
【請求項６】
前記飛行評価器（２００）は、イベントに対する前記任意の数の乗組員（１０６）による前記一群の操縦（１１０）の実演の間に、前記ユーザ入力（２０８）を受け付けるように設定されている、請求項１に記載の装置。
【請求項７】
前記ディスプレイシステム（２０６）、前記入力システム（２１０）、及び前記飛行評価器（２００）は、データ処理システム（２０４）内に配置されている、請求項１に記載の装置。
【請求項８】
前記データ処理システム（２０４）は、タブレットコンピュータ、電子飛行バッグ、携帯電話、及びラップトップコンピュータのうちの１つから選択される、請求項７に記載の装置。
【請求項９】
前記航空機（１０８）の前記操縦は、前記航空機（１０８）、及び前記航空機（１０８）のシミュレータのうちの少なくとも１つを使用して実行される、請求項１に記載の装置。
【請求項１０】
前記ディスプレイシステム（２０６）及び前記入力システム（２１０）は、タッチスクリーン装置の形態をとる、請求項１に記載の装置。
【請求項１１】
航空機（１０８）を操縦することにおける技量を評価するための方法であって、
一群の操縦（１１０）が評価される任意の数の乗組員（１０６）による前記航空機（１０８）の操縦の間に、前記航空機（１０８）の前記任意の数の乗組員（１０６）によって実行された前記一群の操縦（１１０）の技量を評価するための情報（１１４）を、ディスプレイシステム（２０６）に表示することと、
前記任意の数の乗組員（１０６）による前記一群の操縦（１１０）の技量を評価するユーザ入力（２０８）を、入力システム（２１０）を介して受け付けることと、
前記ユーザ入力（２０８）を記憶することと、
前記ユーザ入力（２０８）を使用して、前記任意の数の乗組員（１０６）によって実行された前記一群の操縦（１１０）の技量についての報告書（２２０）を生成することを有する、方法。
【請求項１２】
前記表示することは、
前記一群の操縦（１１０）が評価される前記任意の数の乗組員（１０６）による前記航空機（１０８）の操縦の間に、前記航空機（１０８）の前記任意の数の乗組員（１０６）によって実行された前記一群の操縦（１１０）の技量を前記ディスプレイシステム（２０６）上で評価するための前記情報（１１４）を、携帯型データ処理システムのための前記ディスプレイシステム（２０６）内のグラフィカルユーザインターフェース（２０７）に表示することを有する、請求項１１に記載の方法。
【請求項１３】
前記表示することは、
前記任意の数の乗組員（１０６）によって実行された前記一群の操縦（１１０）の技量を評価するための階級付け基準（４０８）を表示することを有する、請求項１１に記載の方法。
【請求項１４】
前記一群の操縦（１１０）は、イベントに応じて実行される任務に対するものである、請求項１１に記載の方法。
【請求項１５】
前記任意の数の乗組員（１０６）によって実行された前記一群の操縦（１１０）の技量を評価するための前記情報（１１４）に対するアップデートを、通信リンク（２１１）を介してコンピュータシステム（２０２）から、受信することを更に有する、請求項１１に記載の方法。
【手続補正２】
【補正対象書類名】明細書
【補正対象項目名】００１１
【補正方法】変更
【補正の内容】
【００１１】
更に別の例示的な実施形態において、飛行評価システムは、評価管理器及び飛行評価器を備える。評価管理器は、任意の数の乗組員によって実行された一群の操縦の技量を評価するための情報を特定するように設定されている。飛行評価器は、評価管理器からの情報を受信し、一群の操縦が評価される任意の数の乗組員による航空機の操縦の間に、航空機の任意の数の乗組員によって実行される一群の操縦の技量を評価するための情報を、ディスプレイシステム上に表示するとともに、任意の数の乗組員による一群の操縦の技量を評価するユーザ入力を、入力システムを介して受け付けるように設定される
【手続補正３】
【補正対象書類名】明細書
【補正対象項目名】００３５
【補正方法】変更
【補正の内容】
【００３５】
情報１１４は、評価１０４が実行される前に、飛行評価器２００へ送られ得る。別の例において、情報１１４に対するアップデートは、評価１０４が実行されるのに先立って、又は評価１０４が実行される際に、飛行評価器２００によって受信され得る。情報１１４は、例示的な一例において、コンピュータシステム２０２内の評価管理器２１５から受信され得る。描かれているように、情報１１４は、通信リンク２１１を介して送られ得る。これらの例示的な例において、通信リンク２１１は、無線通信リンクである。
【手続補正４】
【補正対象書類名】明細書
【補正対象項目名】００６１
【補正方法】変更
【補正の内容】
【００６１】
描かれているように、これらのアップデートは、評価管理器２１５によって、飛行評価器２００へ送られる。これらの変更は、例示的な一例において、情報を受信する飛行評価器２００からのリクエストを要求することなしに、動的に行われ得る。
【手続補正５】
【補正対象書類名】明細書
【補正対象項目名】０１７１
【補正方法】変更
【補正の内容】
【０１７１】
更に、異なる例示的な実施形態は、他の例示的な実施形態とは異なる特徴を提供することができる。選択された１以上の実施形態は、実施形態の原理、実際の用途を最もよく説明するため、及び他の当業者に対し、様々な実施形態の開示内容と、考慮される特定の用途に適した様々な修正との理解を促すために選択及び記述されている。
下記の条項は、本開示のさらなる態様を記載する。
Ａ１．
航空機（１０８）を操縦することにおける技量を評価するための方法であって、
一群の操縦（１１０）が評価される任意の数の乗組員（１０６）による前記航空機（１０８）の操縦の間に、前記航空機（１０８）の前記任意の数の乗組員（１０６）によって実行された前記一群の操縦（１１０）の技量を評価するための情報（１１４）を、ディスプレイシステム（２０６）に表示することと、
前記任意の数の乗組員（１０６）による前記一群の操縦（１１０）の技量を評価するユーザ入力（２０８）を、入力システム（２１０）を介して受け付けることと、
前記ユーザ入力（２０８）を記憶することと、
前記ユーザ入力（２０８）を使用して、前記任意の数の乗組員（１０６）によって実行された前記一群の操縦（１１０）の技量についての報告書（２２０）を生成することを有する、方法。
Ａ２．
前記表示することは、
前記一群の操縦（１１０）が評価される前記任意の数の乗組員（１０６）による前記航空機（１０８）の操縦の間に、前記航空機（１０８）の前記任意の数の乗組員（１０６）によって実行された前記一群の操縦（１１０）の技量を前記ディスプレイシステム（２０６）上で評価するための前記情報（１１４）を、携帯型データ処理システムのための前記ディスプレイシステム（２０６）内のグラフィカルユーザインターフェース（２０７）に表示することを有する、条項Ａ１に記載の方法。
Ａ３．
前記表示することは、
前記任意の数の乗組員（１０６）によって実行された前記一群の操縦（１１０）の技量を評価するための階級付け基準（４０８）を表示することを有する、条項Ａ１に記載の方法。
Ａ４．
前記一群の操縦（１１０）は、イベントに応じて実行される任務に対するものである、条項Ａ１に記載の方法。
Ａ５．
前記任意の数の乗組員（１０６）によって実行された前記一群の操縦（１１０）の技量を評価するための前記情報（１１４）に対するアップデートを、通信リンク（２１１）を介してコンピュータシステム（２０２）から、受信することを更に有する、条項Ａ１に記載の方法。
Ａ６．
イベントに対する前記任意の数の乗組員（１０６）による前記一群の操縦（１１０）の実演の間に、前記ユーザ入力（２０８）が受け付けられる、条項Ａ１に記載の方法。
Ａ７．
前記表示システム（２０６）及び前記入力システム（２１０）は、タブレットコンピュータ、電子飛行バッグ、携帯電話、及びラップトップコンピュータのうちの１つから選択されたデータ処理システム（２０４）内に配置されている、条項Ａ１に記載の方法。
Ａ８．
前記航空機（１０８）の前記操縦は、前記航空機（１０８）、及び前記航空機（１０８）のシミュレータのうちの少なくとも１つを使用して実行される、条項Ａ１に記載の方法。
Ａ９．
任意の数の乗組員（１０６）によって実行された一群の操縦（１１０）の技量を評価するための情報（１１４）を特定するように設定された評価管理器（２１５）と、
前記情報（１１４）を前記評価管理器（２１５）から受信し、前記一群の操縦（１１０）が評価される前記任意の数の乗組員（１０６）による航空機（１０８）の操縦の間に、前記航空機（１０８）の前記任意の数の乗組員（１０６）によって実行された前記一群の操縦（１１０）の技量を評価するための前記情報（１１４）を、ディスプレイシステム（２０６）に表示するとともに、前記任意の数の乗組員（１０６）による前記一群の操縦（１１０）の技量を評価するユーザ入力（２０８）を、入力システム（２１０）を介して受け付けるように設定された飛行評価器（２００）を備える、飛行評価システム（１１２）。
Ａ１０．
前記評価管理器（２１５）は、前記飛行評価器（２００）上の第１の書式を第２の書式に動的に置き代えるために、前記第２の書式を送るように更に設定され、かつ前記飛行評価器（２００）は、前記第１の書式と前記第２の書式との間の差異及び類似性のうちの少なくとも１つを表示する、条項Ａ９に記載の飛行評価システム（１１２）。